(57)【要約】【課題】ゴルフカートの組立作業性を容易にし、且つ剛性も高くする。【解決手段】前後輪が備えられたメインシャーシ３の前支柱部材２３と後支柱部材２４の各上面にフロントカウル９とリヤカウル１０を被せてボルト３６、４３にて固定し、メインシャーシ３の中途部に固定したステップ板２６に、フロントカウル９の後端と、リヤカウル１０の前端とをそれぞれボルト固定し、ルーフパネル１３を支えるフロントピラー１１及びリヤピラー１２をフロントカウル９とリヤカウル１０とにそれぞれボルト固定する。２人分のゴルフバッグ４５をほぼ直立状に載せるための２人用バッグ載置部４６がリヤカウル１０の後部上面であって、左右両側のフエンダ部５４の間に低い高さ位置で形成され、２人分のゴルフバッグの側面（前面）上部を支える支持アーム５３が一対のリヤピラー１２に連結されている。【選択図】  図６
2006026304.tif 000002
【特許請求の範囲】
【請求項１】
前後輪を設ける機体の前部上面にフロントカウルを設け、機体の後部上面にリヤカウルを設け、該リヤカウルの上面に２人乗り用座席部を備えたゴルフカートにおいて、前記フロントカウル及び前記リヤカウルを下方から支える前後支柱部材を前記機体の前部と後部にそれぞれ設け、前記機体の上面平坦部と前後の支柱部材の上端部に前記フロントカウル及び前記リヤカウルを上方から固定具によってそれぞれ連結させたことを特徴とするゴルフカート。
【請求項２】
前記フロントカウルと前記リヤカウルの間の機体の上面に一枚のステップ板を固定させ、前記フロントカウルの後部と前記リヤカウルの前部を前記ステップ板の前部と後部とにそれぞれ連結させたことを特徴とする請求項１に記載のゴルフカート。
【請求項３】
ルーフパネルを支えるフロントピラー及びリヤピラーを備え、フロントピラーをフロントカウルに連結させ、前記後支柱部材の上面に前記リヤカウルを上方から載せ、前記リヤピラーを前記リヤカウルの上面に載せ、前記リヤピラー及びリヤカウルを前記後支柱部材に同一の固定具によって固定させたことを特徴とする請求項１または２に記載のゴルフカート。
【請求項４】
２人分のゴルフバッグを載せる２人用バッグ載置部を前記リヤカウルの後部上面に形成し、２人のゴルフバッグの側面上部を支える支持アームを連結させたことを特徴とする請求項１乃至３のいずれかに記載のゴルフカート。
【請求項５】
１人分のゴルフバックを載せる左右の１人用バック台をリヤカウルの後部両側に設け、左右の１人用バック台の下面を前記機体の後部の後バンパの上面に当接させ、リヤピラー及びリヤカウルと同一の固定具によって前記の後支柱部材に左右の１人用バック台を固定させたことを特徴とする請求項１乃至４のいずれかに記載のゴルフカート。
【発明の詳細な説明】
【技術分野】
【０００１】
本発明は、ゴルフ場でゴルフクラブ用バッグ（以下、単にゴルフバッグという）及びゴルファーを載せて移動するゴルフカートの構成に関するものである。
【背景技術】
【０００２】
従来から、前後輪が備えられた機体の前後部にフロントカウルとリヤカウルを設け、リヤカウル上面に２人用の座席部を設ける一方、フロントピラー（前部ルーフサポート）及びリヤピラー（後部ルーフサポート）によってルーフパネルを支え、さらに、リヤカウルの後部にゴルフバッグの載置部を備えた技術が知られていた（例えば、特許文献１）。
【０００３】
前記特許文献１の技術では、機体フレームの前部から左右一対のフロントピラー（前部ルーフサポート）を立設し、１本のリヤピラー（後部ルーフサポート）の基端は機体フレームの後端に連結して立設したものであり、この１本のリヤピラーにルーフパネルの後端を取付けする一方、左右一対のフロントピラーの上端にルーフパネルの前端を連結したものであり、しかもルーフパネルは透明な合成樹脂材に形成されているので、ルーフパネルの支持構造の剛性が余り高くなく、走行時の振動で、ルーフパネル、フロントピラー及びルーフパネルが振動して、異音が発生し易いという問題があった。
【０００４】
他方、特許文献２では、前後輪が備えられた機体の前後部にフロントカウルとリヤカウルを設け、フロントカウルとリヤカウルの間に、２人用の前部ゴルファー搭乗部を設け、リヤカウルの上面に２人用の後部ゴルファー搭乗部を設ける一方、ルーフパネルを支持するためのルーフフレームは、複数本の丸パイプにて枠状に構成したもので、左右一対のフロントピラーリヤピラーが一体的に連結され、このルーフフレームの下端を機体の本体に固定する。さらに、リヤカウルの後部にゴルフクラブ用バッグ（ゴルフバッグ）の載置部を備えた技術が知られていた（例えば、特許文献２）。
【特許文献１】特開平１１−３２７６４９号公報（図１、図２、図８及び図９参照）
【特許文献１】特開平１１−７８９７３号公報（図１、図２及び図３参照）
【発明の開示】
【発明が解決しようとする課題】
【０００５】
前記いずれの従来技術でも、フロントカウルやリヤカウル、さらにはフロントピラーリヤピラーの固定の具体性が開示されておらず、組立の容易性も不明であった。
【０００６】
また、ゴルフバッグを載せるためのステーの左右幅をリヤカウルの左右幅と略等しく形成し、前記ステーをリヤカウルの後方に突設させ、ゴルフバッグをその上部が後方に向くように傾斜させてステーに載せる構造であったから、ゴルフバッグ及びステーが車体の後方に大きく突出する不具合があり、例えば後進時、または旋回時に、樹木またはゴルファーにゴルフバッグ及びステーが衝突し易いなどの問題があった。
【０００７】
本発明は、これら従来の問題点を解決し、組立容易であり、高い剛性を有し、さらにゴルフカートの全長を短くし、ゴルフカートの旋回時や後進時にゴルフバッグが外部のものに当たらないようにしたゴルフカートを提供することを目的とするものである。
【課題を解決するための手段】
【０００８】
前記目的を達成するため、請求項１に記載の発明のゴルフカートは、前後輪を設けた機体の前部上面にフロントカウルを設け、機体の後部上面にリヤカウルを設け、該リヤカウルの上面に２人乗り用座席部を備えたゴルフカートにおいて、前記フロントカウル及び前記リヤカウルを下方から支える前後支柱部材を前記機体の前部と後部にそれぞれ設け、前記機体の上面平坦部と前後の支柱部材の上端部に前記フロントカウル及び前記リヤカウルを上方から固定具によってそれぞれ連結させたものである。
【０００９】
請求項２に記載の発明は、請求項１に記載のゴルフカートにおいて、前記フロントカウルと前記リヤカウルの間の機体の上面に一枚のステップ板を固定させ、前記フロントカウルの後部と前記リヤカウルの前部を前記ステップ板の前部と後部とにそれぞれ連結させたものである。
【００１０】
請求項３に記載の発明は、請求項１または２に記載のゴルフカートにおいて、ルーフパネルを支えるフロントピラー及びリヤピラーを備え、フロントピラーをフロントカウルに連結させ、前記後支柱部材の上面に前記リヤカウルを上方から載せ、前記リヤピラーを前記リヤカウルの上面に載せ、前記リヤピラー及びリヤカウルを前記後支柱部材に同一の固定具によって固定させたものである。
【００１１】
請求項４に記載の発明は、請求項１乃至３のいずれかに記載のゴルフカートにおいて、２人分のゴルフバッグを載せる２人用バッグ載置部を前記リヤカウルの後部上面に形成し、２人のゴルフバッグの側面上部を支える支持アームを連結させたものである。
【００１２】
請求項５に記載の発明は、請求項１乃至４のいずれかに記載のゴルフカートにおいて、１人分のゴルフバックを載せる左右の１人用バック台をリヤカウルの後部両側に設け、左右の１人用バック台の下面を前記機体の後部の後バンパの上面に当接させ、リヤピラー及びリヤカウルと同一の固定具によって前記の後支柱部材に左右の１人用バック台を固定させたものである。
【発明の効果】
【００１３】
請求項１に記載の発明によれば、前後輪を設けた機体の前部上面にフロントカウルを設け、機体の後部上面にリヤカウルを設け、該リヤカウルの上面に２人乗り用座席部を備えたゴルフカートにおいて、前記フロントカウル及び前記リヤカウルを下方から支える前後支柱部材を前記機体の前部と後部にそれぞれ設け、前記機体の上面平坦部と前後の支柱部材の上端部に前記フロントカウル及び前記リヤカウルを上方から固定具によってそれぞれ連結させたものであるから、前記フロントカウル及びリヤカウルの高位置を下面側から前記支柱部材によって支えることにより、前記カウルの着脱操作性（組立性）が良好となると共に、前記カウルの取付け部の剛性が高くなるという効果を奏する。
【００１４】
また、請求項２に係る発明によれば、フロントカウルとリヤカウルの間の機体の上面にステップを固定させ、フロントカウルの後部とリヤカウルの前部をステップの前部と後部にそれぞれ連結させる。従って、機体とステップの固定によって互いに強度を向上させるから、前記カウルとステップの固定によって前記カウルの支持強度を充分に確保でき、例えばフロントカウルとリヤカウルを各別に形成して取り扱いの簡略化を図ったり、樹脂の成型加工によリフロントカウル及びリヤカウルを製造するコストの削減を図ることを容易に行うことができる。また、例えば合成樹脂製の成形板または板金製の鉄板などによって前記両カウルを形成する場合、前記カウルが変形して損傷するのを容易に低減できる。
【００１５】
請求項３に係る発明によれば、ルーフを支えるフロントピラー及びリヤピラーを備え、フロントピラーをフロントカウルに連結させ、後支柱部材の上面にリヤカウルを上方から載せ、リヤピラーをリヤカウルの上面に載せ、リヤピラー及びリヤカウルを前記の後支柱部材に同一の固定具によって固定させる。従って、前記リヤカウルを挟んで後支柱部材の上面部にリヤピラーの下面部を固定させることができ、前記固定具としてボルト又はビスを用いて、リヤピラー及びリヤカウルを後支柱部材に上方から載せるだけで固定でき、組み立て作業性の向上などを図ることができる。
【００１６】
また、請求項４に係る発明によれば、２人分のゴルフバックを載せる２人用バック台をリヤカウルの後部上面に形成し、２人分のゴルフバックの上部を支える支持アームをリヤピラーに設ける。従って、前記リヤピラーと略平行にゴルフバックを立設させた姿勢で支持でき、ゴルフバックを載せるためのステーをリヤカウルの後方に突設させる従来構造に比べ、ゴルフバックが車体の後方に大きく突出する不具合をなくすことができ、例えば後進時、または旋回時に、樹木またはゴルファーにゴルフバック及びステーが衝突するのを容易に防止できる。
【００１７】
請求項５に係る発明は、１人分のゴルフバックを載せる左右の１人用バック台をリヤカウルの後部両側に設け、左右の１人用バック台の下面を機体後部の後バンパの上面に当接させ、リヤピラー及びリヤカウルと同一の固定具によって前記の後支柱部材に左右の１人用バック台を固定させる。従って、リヤカウルの２人用バック台と左右の１人用バック台によって４人分のゴルフバックを載せることができる。また、１人用バック台の下面を後バンパの上面に当接させ、かつ後支柱部材を利用して１人用バック台を固定させるか、１人用バック台を車体に設けるための特別な機構を不要とし、後バンパと後支柱部材を用いて充分な強度を確保しながら、１人用バック台を容易に取付けることができる。また、前記の１人用バック台またはゴルフバックが車体の後方に大きく突出することがなく、例えば後進時、または旋回時に、樹木またはゴルファーにゴルフバック及び１人用バック台が衝突するのを容易に低減できる。
【発明を実施するための最良の形態】
【００１８】
次に、本発明の最良の実施形態について図面を参照して詳述する。図１は２人分のゴルフバッグを載せることができるゴルフカートの側面図、図２は同正面図、図３は同斜視図、図４は同背面図、図５は同平面図、図６はフロントカウル及びリヤカウル部の側面図、図７はフロントカウル及びリヤカウル部の平面図、図８は機体の側面図、図９は機体の平面図、図１０はフロントカウル及びリヤカウルの分解説明図、図１１はルーフ部の側面図、図１２はルーフ部等の平面図、図１３は図１２のXIII−XIII線矢視拡大断面図、図１４は図１２のXIV −XIV 線矢視拡大断面図、図１５は２人分のゴルフバッグを載せるゴルフカートの側面図、図１６は同斜視図、図１７は同平面図、図１８は同背面図、図１９は１人用バッグ台の取付け説明図、図２０は１人用バッグ台の側面図、図２１は１人用バッグ台の平面図、図２２は１人用バッグ台の正面図である。
【００１９】
図１乃至図５に示すように、２人分のゴルフバッグを後部に載せた２人乗り用のゴルフカートでは、その機体としてのメインシャーシ３に左右一対の前輪１及び後輪２を備える。そして、メインシャーシ３には、電動走行モータ４を備える駆動ケース５と、前記走行モータ４の電源であるバッテリ６と、制御ボックス７と、充電用コントローラ部８とが設けられている。走行駆動力は駆動ケース５を介して左右両後輪２に伝達される。また、左右一対の前輪１の上側を合成樹脂製またはガラス繊維強化プラスチック製のフロントカウル９によって覆い、また左右一対の後輪２の上側を同様に合成樹脂製のリヤカウル１０によって覆う。前記フロントカウル９及びリヤカウル１０の上面側に左右一対のフロントピラー１１及びリヤピラー１２を立設させ、フロントピラー１１及びリヤピラー１２によって合成樹脂製のルーフパネル１３を支える。
【００２０】
さらに、前記リヤカウル１０の上面前部に座席部１４を形成し、２人のゴルファーが座る座席１５を座席部１４に設ける。また前輪１を操舵する丸ハンドル１６は座席部１４の左側前方に立設されたステアリングポスト１６ａの上端に設けられている。
【００２１】
実施形態では、前記丸ハンドル１６の操作により前輪１を操舵する。ステアリングポスト１６ａの側部下方にはフロントカウル９に、アクセルペダル１７及びブレーキペダル１８が取付けられている。
【００２２】
メインシャーシ３は、左右一対の角パイプ形の胴部フレーム１９と、前記胴部フレーム１９の前側に溶接によって固定させる四角枠形の前部フレーム２０とを備え、左右の前輪１を前部フレーム２０の両側部に装設させる。また、前部フレーム２０には、フロントバンパ２１を設けたフロントバンパフレーム２２と、フロントカウル９を上端部に固定した前支柱部材２３とが設けられている。前記フロントバンパフレーム２２及び前支柱部材２３を前部フレーム２０に溶接によって固定させる。
【００２３】
胴部フレーム１９は、リヤカウル１０を支持する後支柱部材２４と、後支柱部材２４の前側に連結させるシートフレーム２５と、シートフレーム２５の前方に固定させる鉄板製のステップ２６と、シートフレーム２５の下方に設けるバッテリ台２７と、後輪２を装設した駆動ケース５を取付けるアクスル台２８と、リヤバンパ２９を設けるリヤバンパフレーム３０を備える。
【００２４】
前支柱部材２３の上端に前水平フレーム３１の下面を溶接固定させる。前水平フレーム３１は左右方向に長い平板形に形成されている。この前水平フレーム３１には左右に取付け孔３２が形成され、その取付け孔３２の下面側にナット３３が溶接固定されている。
【００２５】
前記ステップ２６の上面の前端部に６箇所の取付け孔３４を穿設し、該取付け孔３４の下面側にナット３５を溶接固定させる。
【００２６】
前記フロントカウル９をメインシャーシ３の前部に載せ、前水平フレーム３１の２箇所のナット３３に取付け孔３２を介してフロントカウル９の上面側からボルト３６をそれぞれ締結する。また、ステップの６箇所のナット３５に取付け孔３４を介してフロントカウル９の上面側からボルト３７をそれぞれ締結する（図７及び図１０参照）。このようにして、前記メインシャーシ３の前部にフロントカウル９を上方から載せて取り付ける。
【００２７】
前記の後支柱部材２４の上端には、左右方向に長い平板形に形成された後水平フレーム３８の下面を溶接固定させる。後水平フレーム３８には、左右に４個を一組として取付け孔３９がそれぞれ穿設され、その各取付け孔３９の下面側にナット４０が溶接固定されている。前記ステップの上面の後端部に５箇所の取付け孔４１を穿設し、各取付け孔４１の下面側にナット４２を溶接固定させる。
【００２８】
リヤカウル１０は、その上面前部に座席部１４が形成され、その後部側に左右の後輪２を覆うフェンダ部５４と、フェンダ部５４の間で高さの低い２人用バッグ載置部４６とが一体的に形成されている。
【００２９】
前記リヤカウル１０をメインシャーシ３の後部に載せ、かつリヤカウル１０の上面にリヤピラー１２を載せ、後水平フレーム３８のナット４０に取付け孔３９を介してリヤピラー１２及びリヤカウル１０の上面側からボルト４３をそれぞれ締結する。ステップ２６の５箇所のナット４２に取付け孔４１を介してリヤカウル１０の上面側からボルト４４をそれぞれ締結する（図７及び図１０参照）。そして、リヤカウル１０における座席部１４に掛かる搭乗者の荷重はシートフレーム２５にて支持される。
【００３０】
他方、２人用バッグ載置部４６を支える荷台フレーム４７が前記胴部フレーム１９の後部に設けられている。この荷台フレーム４７に取付け孔４８を形成し、該取付け孔４８の下面側にナット４９を溶接固定させる。２人用バッグ載置部４６の上面側から荷台フレーム４７のナット４９に取付け孔４８を介してボルト５０を締め付け、前記メインシャーシ３の後部にリヤカウル１０を固定させ、かつリヤカウル１０の上側にリヤピラー１２を立設させる。
【００３１】
従って、リヤカウル１０における前記の２人用バッグ載置部４６は、左右両側部を左右のフェンダ部５４によって囲まれ、かつ前方を座席部１４によって囲まれ、後方と上方に向けて開放するように形成されている。
【００３２】
左右のリヤピラー１２の前面には横長の背面シート５１が図示しないブラケット等を介して連結されている。前記左右のリヤピラー１２の上下中途部を横長ステー１２ａにて連結し、その横長ステー１２ａから後向きに突出する左右一対のフランジ１２ｂの後端には、２人分（２個）のゴルフバッグ４５の側面（前面）上部を支えるための横長であって左右両側端部が平面視で後向き湾曲形成された支持アーム５３が連結されている（図６及び図１１参照）。他の実施形態として、リヤカウル１０の上面に別途立設した支持杆（図示せず）に支持アーム５３を連結しても良い。
【００３３】
前記支持アーム５３は、２人用バッグ載置部４６の前側略直上に配置されている。そして、２人用バッグ載置部４６に２人分のゴルフバッグ４５を直立状に載せ、図１２に示すゴムバンド等の締結具（包括具）５５の一端を支持アーム５３の一側端のフック部５３ａに係止する。ゴムバンド５５の中途部を２人分（２個）のゴルフバッグ４５の後側面上部に掛け回し、さらにゴムバンド５５の他端を支持アーム５３の他端のフック部５３ａに係止する。これにより、２個のゴルフバッグ４５は、支持アーム５３とゴムバンド等の締結具（包括具）５５とにより挟み付けて倒れ不能に固定できるように構成されている。
【００３４】
リヤカウル１０における上面前部の座席部１４に座席１５をヒンジ１５ａを介して前方に展開自在に設ける。座席１５の後側の背面シート５１の左右両側にハンドレスト５２が固定されている。
【００３５】
座席１５によって開閉自在に閉鎖する開口５６はリヤカウル１０における座席部１４に開設させる。前記開口５６の内側に、バッテリ６（実施形態では、リチウムイオンバッテリを使用する）、前記電動モータ４の駆動及び発電制動の制御を実行するための制御ボックス７、充電用コントローラ部８を配置させ、例えばメンテナンス、点検作業を前記開口５６を介して行えるように構成する。前記制御ボックス７と充電用コントローラ部８は、前記バッテリ６を挟んで左右に振り分けてメインシャーシ３に固定されている。前記メインシャーシ３上面側のシートフレーム２５側部に制御ボックス７及び充電用コントローラ部８を取付け、前記充電用コントローラ部８に対向するリヤカウル１０の前面に充電用（１００または２００ボルト用）のコンセント５７が設けられている。
【００３６】
図１２及び図１３に示す如く、前記フロントカウル９の上面に左右長手のピラー受け部５７を形成する。そして、左右一対のフロントピラー１１の下端部に連結した下枠体１１ａをピラー受け部５７に載せ、ボルト５８及びナット５９によって下枠体１１ａをフロントカウル９に固定させる。左右一対のフロントピラー１１の上端部間を上枠体１１ｂにて連結する。左右一対のフロントピラー１１と上下枠体１１ｂ，１１ａによりフロント窓枠体を構成する。一対のフロントピラー１１及び下枠体１１ａに形成された溝６０に透明な合成樹脂製の正面パネル６１の左右縁及び下端縁を差込む。上枠体１１ｂに正面パネル６１の上端をボルト６２及びナット６３によって固定する一方、左右のフロントピラー１１の溝６０の箇所で正面パネル６１の側縁をビス６２ａにて固定する（図１３及び図１４参照）。
【００３７】
ゴルフボール、ヘッドカバーなどを入れる左右一対の小物入れカゴ６４ａをフェンダ部５４の上面に設ける。また、前記背面シート５１後側の一対のリヤピラー１２間を横長の小物入れカゴ６４ｂによって連結させる。一方、フロントカウル９の上面に小物入れカゴ６４ｃを設ける。前記フロントカウル９及びリヤカウル１０は、合成樹脂の成形加工によって形成するが、鉄板を板金加工（プレス加工）して形成してもよい。
【００３８】
２人用のゴルフカートは、上記のように構成するもので、前記ゴルフカートの組み立て手順を説明する。先ず、前輪１と、後輪２と、バッテリ６と、制御ボックス７と、充電用コントローラ部８を、前記メインシャーシ３の各部に組み付ける。また、前記メインシャーシ３の前部上面の前支柱部材２２の上面にフロントカウル９を載せ、フロントカウル９後部をステップ２６前部に上方からボルト３７止め固定させるので、フロントカウル９の取付け作業が容易となると共に、取付け箇所の剛性も高まる。また、小物入れカゴ６４ｃを載せるフロントカウル９の上面を前水平フレーム３１に上方からボルト３６止め固定させる。このとき、小物入れカゴ６４ｃも前水平フレーム３１にボルト３６止め固定させる。
【００３９】
さらに、前記メインシャーシ３の後部の後支柱部材２４の上面にリヤカウル１０を載せ、リヤカウル１０前部をステップ２６後部に上方からボルト４４止め固定させるから、リヤカウル１０の取付け作業が容易になると共に、取付け箇所の剛性が高まる。しかも、後述するように、後支柱部材２４に対してリヤカウル１０と２人用バッグ載置部４６とリヤピラー１２とをボルトにて共締めすることで、一層取付け箇所の剛性が高まる。
【００４０】
また、リヤカウル１０の２人用バッグ載置部４６を荷台フレーム４７に上方からボルト５０止め固定させる。なお、平坦な２人用バッグ載置部４６に図７に示すように縦横の膨出リブ部４６ａを一体的に形成することにより、ゴルフバッグの荷重が作用しても２人用バッグ載置部４６が撓み難くすることが好ましい。
【００４１】
左右一対のフロントピラー１１及び上端間が横梁６５ａで連結された左右一対のリヤピラー１２をフロントカウル９及びリヤカウル１０の上面に立設固定した後、左右一対のフロントピラー１１の上枠体１１ｂと上梁６５ｂの上面に前後方向に長い左右一対の上梁６５ｂを載せてボルトナット固定し、この一対の上梁６５ｂ上に固定したブラケット６６にルーフパネル１３を載置してボルト６７にて固定する。
【００４２】
次に、４人分のゴルフバッグを載せるゴルフカートについて説明する。前述の２人用バッグ載置部４６が形成されたリヤカウル１０を有する２人乗り用のゴルフカートに、１人用バッグ台６７を２つ付加したものであって、図１５乃至図１９に示す如く、１人分（１個）のゴルフバッグ４５を載せる左右の１人用バッグ台６７をリヤカウル１０の後部両側に設ける。
【００４３】
１人用バッグ台６７は、前記メインシャーシ３後部の後バンパ２９の上面に下面を当接させる載せ部６８と、１人分のゴルフバッグ４５を前傾させて持たせかける背もたれ部６９と、該背もたれ部６９の前側に突出させてリヤカウル１０に連結させるための支え枠部７０とを備える（図２０、図２１及び図２２参照）。
【００４４】
前記載せ部６８と背もたれ部６９を側面視Ｌ形に連結させ、背もたれ部６９の前面に略水平に支え枠部７０を突出させる。また、前記支え枠部７０に取付け孔７１を形成し、前記ゴルフカートを組み立てるとき、リヤピラー１２及びリヤカウル１０を後水平フレーム５６に上方から固定させるボルト４３を取付け孔７１に挿入させ、前記取付け孔７１を介して支え枠部７０を後水平フレーム３８に固定させるように構成する（図１９参照）。
【００４５】
即ち、前記の１人用バッグ台６７とリヤピラー１２及びリヤカウル１０とを同一のボルト４３によって前記の後支柱部材２４に共締め固定させる。
【００４６】
このとき、後バンパ２９の上面に載せ部６８の下面を当接させ、載せ部６８を後バンパ２９に取付け孔７２を介してボルト止め固定させる。前記載せ部６８は前低後高に傾斜させて支持させる。また、前記背もたれ部６９を前傾斜の姿勢に支持させる。そして、前記載せ部６８と前記背もたれ部６９によってゴルフバッグ４５を前傾斜の姿勢に支持させ、前記背もたれ部６９の上端の支持アーム７３にゴルフバッグ４５を例えばバンド結束などによって固定する。
【００４７】
上記から明らかなように、前後輪１，２が備えられたメインシャーシ３の前部と後部の上面にフロントカウル９とリヤカウル１０を設け、ルーフパネル１３を支えるフロントピラー１１及びリヤピラー１２を備えてなるゴルフカートにおいて、２人分のゴルフバッグ４５をほぼ直立状に載せるための２人用バッグ載置部４６が前記リヤカウル１０の後部上面に形成され、２人分のゴルフバッグ４５の側面上部を支える支持アーム５３を前記リヤピラー１２またはリヤカウル１０から別途立設させた支持杆に連結したものである。
【００４８】
従って、各ゴルフバッグ４５がほぼ直立姿勢でリヤカウル１０の後部上面に支持され、るので、例えば後進時、または旋回時に、周辺の樹木またはゴルファーなどにゴルフバッグ４５が接触せず、また、従来のようなゴルフバッグ４５をリヤカウル１０の後部に後傾させて支持する構成に比べて、ゴルフカートの全長を短く、コンパクトにできる。さらに、支持アーム５３を左右のリヤピラー１２に連結することにより、支持アーム５３は左右のリヤピラー１２に対する補強部材を兼用することができて、部品点数を少なくしながら、リヤピラー１２部分の剛性を高めることができる。
【００４９】
２人用バッグ載置部４６は、後輪２を覆うリヤカウル１０の左右のフエンダ部５４の間に形成する。よって、左右のフエンダ部５４によってゴルフバッグ４５が左右に移動するのを防止でき、かつ２人用バッグ載置部４６をコンパクトに形成できる。
【００５０】
２人用バッグ載置部４６は、座席１５を設置するリヤカウル１０の座席部１４の後側に形成する。よって、座席１５の後側を立設姿勢のゴルフバッグ４５によって遮蔽でき、後方から飛んで来るゴルフボールに対して座席１５のゴルファーを保護できる。
【００５１】
２人用バッグ載置部４６は、後側を後方に開放させ、かつ機体後部の後バンパ２９の上面よりも低く形成する。よって、バッグ載置部４６に載せたゴルフバッグ４５が後方に移動するのを後バンパ２９によって防止でき、かつバッグ載置部４６と後バンパ２９の間から埃または雨水などを漏下させることができる。
【００５２】
１人分のゴルフバッグ４５を載せるための左右の１人用バッグ台６７を前記リヤカウル１０の後部両側に配置し、この各１人用バッグ台６７の下面を機体後部の後バンパ２９の上面に載置するとともに、前記各１人用バッグ台６７の背面のステーである支え枠部７０を前記リヤピラー１２及びリヤカウル１０と共に同一の固定具であるボルト４３によってメインシャーシ３の後支柱部材２４に固定させる。よって、リヤカウル１０の２人用バッグ載置部４６と左右の１人用バッグ台６７によって４人分のゴルフバッグ４５を載せることができる。また、１人用バッグ台６７の下面を後バンパ２９の上面に当接させ、かつ後支柱部材２４を利用して１人用バッグ台６７を固定させるから、１人用バッグ台６７を車体に設けるための特別な機構を不要とし、後バンパ２９と後支柱部材２４を用いて充分な強度を確保しながら、１人用バッグ台６７を容易に取付けることができる。
【００５３】
本発明によれば、前記リヤカウル１０の上面に２人用座席１５を取り付ける。よって、２人が搭乗する機体構造で、２人分のゴルフバッグ４５を搭載する機体仕様、または４人分のゴルフバッグ４５を搭載する機体仕様とに簡単に変更することができる。例えば、４人が搭乗する機体構造に比べ、機体の重量（総重量）の軽量化を図ることができ、舗装された専用の走行道路だけでなく、フェアウエイの芝生の上も走行可能にすることができる。
【図面の簡単な説明】
【００５４】
【図１】２人分のゴルフバッグを載せるゴルフカートの側面図である。
【図２】同正面図である。
【図３】同斜視図である。
【図４】同背面図である。
【図５】同平面図である。
【図６】フロントカウル及びリヤカウル部の側面図である。
【図７】フロントカウル及びリヤカウル部の平面図である。
【図８】メインシャーシ部の側面図である。
【図９】メインシャーシ部の平面図である。
【図１０】フロントカウル及びリヤカウルの分解説明図である。
【図１１】ルーフ部の側面図である。
【図１２】ルーフ部の平面図である。
【図１３】図１２のXIII−XIII線矢視一部切欠き拡大断面図である。
【図１４】図１２のXIV −XIV 線矢視拡大断面図である。
【図１５】４人分のゴルフバッグを載せるゴルフカートの側面図である。
【図１６】同斜視図である。
【図１７】同平面図である。
【図１８】同背面図である。
【図１９】１人用バッグ台の取付け説明図である。
【図２０】１人用バッグ台の側面図である。
【図２１】１人用バッグ台の平面図である。
【図２２】１人用バッグ台の正面図である。
【符号の説明】
【００５５】
１    前輪
２    後輪
３    機体としてのメインシャーシ
９    フロントカウル
１０  リヤカウル
１１  フロントピラー
１２  リヤピラー
１３  ルーフパネル
１４  座席部
１５  座席
２３  前支柱部材
２４  後支柱部材
２９  後バンパ
３６、４３  固定具としてのボルト
４５  ゴルフバッグ
４６  ２人用バッグ載置部
５３  支持アーム
５４  フエンダ部
５５  締着具（包括具）としてのゴムバンド
６７  １人用バッグ台
６８  載せ部
６９  背もたれ部
７０  ステー（支え枠部）
【図１】
2006026304.tif 000003
【図２】
2006026304.tif 000004
【図３】
2006026304.tif 000005
【図４】
2006026304.tif 000006
【図５】
2006026304.tif 000007
【図６】
2006026304.tif 000008
【図７】
2006026304.tif 000009
【図８】
2006026304.tif 000010
【図９】
2006026304.tif 000011
【図１０】
2006026304.tif 000012
【図１１】
2006026304.tif 000013
【図１２】
2006026304.tif 000014
【図１３】
2006026304.tif 000015
【図１４】
2006026304.tif 000016
【図１５】
2006026304.tif 000017
【図１６】
2006026304.tif 000018
【図１７】
2006026304.tif 000019
【図１８】
2006026304.tif 000020
【図１９】
2006026304.tif 000021
【図２０】
2006026304.tif 000022
【図２１】
2006026304.tif 000023
【図２２】
2006026304.tif 000024